【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
（ａ）１０〜２５重量％のＨＦＣ−３２；
（ｂ）１０〜２５重量％のＨＦＣ−１２５；
（ｃ）２０〜５０重量％のＨＦＯ−１２３４ｚｅ、ＨＦＯ−１２３４ｙｆ、またはこれらの組み合わせ；および
（ｄ）１５〜３５重量％のＨＦＣ−１３４ａ；
からなる熱伝達組成物であって、該重量％が組成物中の成分（ａ）〜（ｄ）の総重量を基準とし、（ｄ）ＨＦＣ−１３４ａ：（ｃ）ＨＦＯ−１２３４ｚｅ及び／又はＨＦＯ−１２３４ｙｆの重量比が４：６〜１：１であり、（ａ）ＨＦＣ−３２：（ｂ）ＨＦＣ−１２５の重量比が１：１である、熱伝達組成物。
【請求項２】
（ｄ）ＨＦＣ−１３４ａ：（ｃ）ＨＦＯ−１２３４ｚｅ及び／又はＨＦＯ−１２３４ｙｆの重量比が１：１である、請求項１に記載の熱伝達組成物。
【請求項３】
前記組成物が１５００未満の地球温暖化係数を有する、請求項１または２に記載の熱伝達組成物。
【請求項４】
潤滑剤と組み合わせた請求項１〜３のいずれかに記載の熱伝達組成物。
【請求項５】
前記潤滑剤が、ポリオールエステル（ＰＯＥ）、ポリアルキレングリコール（ＰＡＧ）、ＰＡＧ油、シリコーン油、鉱油、アルキルベンゼン（ＡＢ）、およびポリ（α−オレフィン）（ＰＡＯ）からなる群から選ばれる、請求項４に記載の熱伝達組成物。
【請求項６】
ＨＦＣ−４０４Ａの効率と同等かまたはより高い効率を有する請求項１〜５のいずれかに記載の熱伝達組成物。
【請求項７】
低温冷却システムまたは中温冷却システムにおいて使用するための請求項１〜６のいずれかに記載の熱伝達組成物。
【請求項８】
熱伝達システム中に含まれている現行の熱伝達流体を置き換える方法であって、該現行の熱伝達流体の少なくとも一部を該システムから取り除くこと、ここで該現行の熱伝達流体がＨＦＣ−４０４Ａである；および
（ａ）１０〜２５重量％のＨＦＣ−３２；
（ｂ）１０〜２５重量％のＨＦＣ−１２５；
（ｃ）２０〜５０重量％のＨＦＯ−１２３４ｚｅ、ＨＦＯ−１２３４ｙｆ、またはこれらの組み合わせ；および
（ｄ）１５〜３５重量％のＨＦＣ−１３４ａ；
からなる熱伝達組成物であって、該重量％が組成物中の成分（ａ）〜（ｄ）の総重量を基準とし、（ｄ）ＨＦＣ−１３４ａ：（ｃ）ＨＦＯ−１２３４ｚｅ及び／又はＨＦＯ−１２３４ｙｆの重量比が４：６〜１：１であり、（ａ）ＨＦＣ−３２：（ｂ）ＨＦＣ−１２５の重量比が１：１である、熱伝達組成物
を該システム中に導入することによって、該現行の熱伝達流体の少なくとも一部を置き換えること；を含む、上記方法。
【請求項９】
（ｄ）ＨＦＣ−１３４ａ：（ｃ）ＨＦＯ−１２３４ｚｅ及び／又はＨＦＯ−１２３４ｙｆの重量比が１：１である、請求項８に記載の方法。
【請求項１０】
前記組成物が１５００未満の地球温暖化係数を有する、請求項８または９に記載の方法。
【請求項１１】
前記組成物が潤滑剤と組み合わせて提供される、請求項８〜１０のいずれかに記載の方法。
【請求項１２】
前記潤滑剤が、ポリオールエステル（ＰＯＥ）、ポリアルキレングリコール（ＰＡＧ）、ＰＡＧ油、シリコーン油、鉱油、アルキルベンゼン（ＡＢ）、およびポリ（α−オレフィン）（ＰＡＯ）からなる群から選ばれる、請求項１１に記載の方法。
【請求項１３】
前記組成物がＨＦＣ−４０４Ａの効率と同等かまたはより高い効率を有する、請求項８〜１２のいずれかに記載の方法。
【請求項１４】
前記熱伝達システムが低温冷却システムまたは中温冷却システムである、請求項８〜１３のいずれかに記載の方法。
【請求項１５】
熱伝達システムであって、流体連通状態にある圧縮機と凝縮器と蒸発器、および該システム中の熱伝達組成物を含み、該熱伝達組成物が、
（ａ）１０〜２５重量％のＨＦＣ−３２；
（ｂ）１０〜２５重量％のＨＦＣ−１２５；
（ｃ）２０〜５０重量％のＨＦＯ−１２３４ｚｅ、ＨＦＯ−１２３４ｙｆ、またはこれらの組み合わせ；および
（ｄ）１５〜３５重量％のＨＦＣ−１３４ａ；
からなる熱伝達組成物であって、該重量％が組成物中の成分（ａ）〜（ｄ）の総重量を基準とし、（ｄ）ＨＦＣ−１３４ａ：（ｃ）ＨＦＯ−１２３４ｚｅ及び／又はＨＦＯ−１２３４ｙｆの重量比が４：６〜１：１であり、（ａ）ＨＦＣ−３２：（ｂ）ＨＦＣ−１２５の重量比が１：１である、熱伝達システム。
【請求項１６】
前記熱伝達組成物が請求項２〜６のいずれかに記載の組成物である、請求項１５に記載の熱伝達システム。
【請求項１７】
前記蒸発器が−２５℃〜−３５℃の作動温度を有する、請求項１５又は１６に記載の熱伝達システム。
【請求項１８】
前記システムが低温冷却システムまたは中温冷却システムである、請求項１５〜１７のいずれかに記載の熱伝達システム。
【請求項１９】
熱伝達システムにおけるＨＦＣ−４０４Ａの代替物としての請求項１〜７のいずれかに記載の熱伝達組成物の使用。
【手続補正２】
【補正対象書類名】明細書
【補正対象項目名】００３８
【補正方法】変更
【補正の内容】
【００３８】
好ましい実施態様に関して本発明を説明してきたが、当業者には周知のように、本発明の要旨を逸脱しない範囲において種々の変更を行ってよく、また本発明の要素を等価物で置き換えてよい。さらに、本発明の要旨を逸脱しない範囲において、本発明の開示内容に従って特定の状況または材料に適合するよう多くの改良を加えることができる。したがって、本発明は、開示されている特定の実施態様に限定されず、添付のクレームまたは後で加えられる任意のクレームの範囲内に含まれる全ての実施態様を含む、ということが意図されている。
本発明は以下の態様を含む。
［１］
（ａ）約１０重量％〜約３５重量％のＨＦＣ−３２；（ｂ）約１０重量％〜約３５重量％のＨＦＣ−１２５；（ｃ）約２０重量％〜約５０重量％のＨＦＯ−１２３４ｚｅ、ＨＦＯ−１２３４ｙｆ、およびこれらの組み合わせ物；ならびに（ｄ）約１５重量％〜約３５重量％のＨＦＣ−１３４ａ；を含み、ここで該重量％が組成物中の成分（ａ）〜（ｃ）の総重量を基準としている、熱伝達組成物。
［２］
（ａ）約１０重量％〜約３０重量％のＨＦＣ−３２；および（ｂ）約１０重量％〜約３０重量％のＨＦＣ−１２５；を含む、［１］に記載の熱伝達組成物。
［３］
前記ＨＦＯ−１２３４ｚｅがｔｒａｎｓ−ＨＦＯ−１２３４ｚｅを含む、［１］に記載の熱伝達組成物。
［４］
ＨＦＣ−３２：ＨＦＣ−１２５の重量比が約０．９：１．２〜約１．２：０．９である、［１］に記載の熱伝達組成物。
［５］
ＨＦＯ−１２３４ｚｅとＨＦＯ−１２３４ｙｆを含む、［１］に記載の熱伝達組成物。
［６］
ＨＦＯ−１２３４ｚｅ：ＨＦＯ−１２３４ｙｆの重量比が約５：１〜約３：１である、［５］に記載の熱伝達組成物。
［７］
熱伝達システム中に含まれている現行の熱伝達流体を置き換える方法であって、該現行の熱伝達流体の少なくとも一部を該システムから取り除くこと、ここで該現行の熱伝達流体がＨＦＣ−４０４Ａである；および（ａ）約１０重量％〜約３０重量％のＨＦＣ−３２、（ｂ）約１０重量％〜約３０重量％のＨＦＣ−１２５、（ｃ）約２０重量％〜約５０重量％のＨＦＯ−１２３４ｚｅ、ＨＦＯ−１２３４ｙｆ、およびこれらの組み合わせ物、ならびに（ｄ）約１５重量％〜約３５重量％のＨＦＣ−１３４ａ、を含む熱伝達組成物を該システム中に導入することによって、該現行の熱伝達流体の少なくとも一部を置き換えること；を含み、ここで該重量％が組成物中の成分（ａ）〜（ｃ）の総重量を基準としている、上記方法。
［８］
前記熱伝達組成物が、（ａ）約１０重量％〜約３０重量％のＨＦＣ−３２；および（ｂ）約１０重量％〜約３０重量％のＨＦＣ−１２５；を含む、［７］に記載の方法。
［９］
熱伝達システムであって、流体連通状態にある圧縮機と凝縮器と蒸発器、および該システム中の熱伝達組成物を含み、該熱伝達組成物が、（ａ）約１０重量％〜約３０重量％のＨＦＣ−３２；（ｂ）約１０重量％〜約３０重量％のＨＦＣ−１２５；（ｃ）約２０重量％〜約５０重量％のＨＦＯ−１２３４ｚｅ、ＨＦＯ−１２３４ｙｆ、およびこれらの組み合わせ物；ならびに（ｄ）約１５重量％〜約３５重量％のＨＦＣ−１３４ａ；を含み、ここで該重量％が組成物中の成分（ａ）〜（ｃ）の総重量を基準としており、該凝縮器が約３５℃〜約４５℃の作動温度を有する、上記熱伝達システム。
［１０］
前記蒸発器が約−２５℃〜約−３５℃の作動温度を有する、［９］に記載の熱伝達システム。